(57)【要約】【課題】本考案は、シンプルな構造でありながらスリッパ等の上履や靴等の下履を別途の収容部に収容して携帯できる上履・下履携帯トートバッグを提供する。【解決手段】上履・下履携帯トートバッグ１０の袋状のバッグ本体１２の内部には下履を収容する下履収容部１４が形成されている。バッグ本体１２を構成する第１バッグ本体構成シート２０の下部表面には上履収容部形成シート３０が配設され、第１バッグ本体構成シート２０と上履収容部形成シート３０によって上履を収容する上履収容部３２が形成されている。バッグ本体１２には第１係止体取付片３６が取り付けられ、第１係止体取付片３６の先端部には凹状ボタン３８が固定されている。また、第２バッグ本体構成シート２２と上履収容部形成シート３０には凸状ボタン４０が固定されている。【選択図】図１
0003203502.tif 000002
【実用新案登録請求の範囲】
【請求項１】
袋状に形成されたバッグ本体と、このバッグ本体を構成する第１バッグ本体構成シートと、この第１バッグ本体構成シートの上部に設けられた第１持ち手部と、前記第１バッグ本体構成シートと対向して設けられると共に前記バッグ本体を構成する第２バッグ本体構成シートと、この第２バッグ本体構成シートの上部に設けられた第２持ち手部と、前記第１バッグ本体構成シートの下部表面に配設されると共に第１側縁、第２側縁、下縁が前記第１バッグ本体構成シートと接合された上履収容部形成シートと、前記第１バッグ本体構成シートと前記上履収容部形成シートによって形成された上履収容部と、を有してなることを特徴とする上履・下履携帯トートバッグ。
【請求項２】
袋状に形成されたバッグ本体と、このバッグ本体を構成する第１バッグ本体構成シートと、この第１バッグ本体構成シートの上部に設けられた第１持ち手部と、前記第１バッグ本体構成シートと対向して設けられると共に前記バッグ本体を構成する第２バッグ本体構成シートと、この第２バッグ本体構成シートの上部に設けられた第２持ち手部と、前記第１バッグ本体構成シートの下部表面に配設されると共に第１側縁、第２側縁、下縁が前記第１バッグ本体構成シートと接合された上履収容部形成シートと、前記第１バッグ本体構成シートと前記上履収容部形成シートによって形成された上履収容部と、前記バッグ本体の側縁部に取り付けられた第１係止体取付片と、この第１係止体取付片に取り付けられた第１係止体と、前記第２バッグ本体構成シートと前記上履収容部形成シートにそれぞれ取り付けられると共に前記第１係止体と係止可能な第２係止体と、を有してなることを特徴とする上履・下履携帯トートバッグ。
【請求項３】
前記上履収容部を第１上履収容部と第２上履収容部とに区画形成したことを特徴とする請求項１または請求項２のいずれか１項記載の上履・下履携帯トートバッグ。
【考案の詳細な説明】
【技術分野】
【０００１】
本考案は、屋内で履くスリッパ等の上履や屋外で履く靴等の下履を収容して携帯することができる上履・下履携帯トートバッグに関する。
【背景技術】
【０００２】
授業参観日、保護者会、親子面談日等の学校行事に保護者が出席する場合は、保護者は自宅にあるバッグに上履として使用するスリッパを収容して学校に持参している。
保護者は、学校に到着すると履いていた靴を脱いで前記バッグからスリッパを取り出して履くと共に履いていた靴を前記バッグの収容部に収容して携帯しながら学校行事に参加している。
また、学校から帰る場合はバッグの収容部に収容していた靴を取り出して履くと共に履いていたスリッパを前記バッグの収容部に収容して帰宅している。
このため、バッグの同じ収容部にスリッパや靴を収容するため靴に付いていた土等がスリッパに付いてスリッパが汚れてしまうという不具合がある。
そこで、スリッパを収容、携帯できる専用品として携帯用スリッパ靴ケースが提案されている（例えば特許文献１）。
【先行技術文献】
【特許文献】
【０００３】
【特許文献１】特開２００３−３８２２６号公報
【考案の概要】
【考案が解決しようとする課題】
【０００４】
しかし、この携帯用スリッパ靴ケースは、外袋の内側に内袋を設ける等構造が複雑であると共に使用する場合に煩雑であるという不具合がある。
本考案は、上記事実に鑑みなされたものであり、極めてシンプルな構造でありながらスリッパ等の上履や靴等の下履を別々の収容部に収容して携帯できる上履・下履携帯トートバッグを提供するものである。
【課題を解決するための手段】
【０００５】
請求項１の考案は、袋状に形成されたバッグ本体と、このバッグ本体を構成する第１バッグ本体構成シートと、この第１バッグ本体構成シートの上部に設けられた第１持ち手部と、前記第１バッグ本体構成シートと対向して設けられると共に前記バッグ本体を構成する第２バッグ本体構成シートと、この第２バッグ本体構成シートの上部に設けられた第２持ち手部と、前記第１バッグ本体構成シートの下部表面に配設されると共に第１側縁、第２側縁、下縁が前記第１バッグ本体構成シートと接合された上履収容部形成シートと、前記第１バッグ本体構成シートと前記上履収容部形成シートによって形成された上履収容部と、を有してなることを特徴としている。
請求項２の考案は、袋状に形成されたバッグ本体と、このバッグ本体を構成する第１バッグ本体構成シートと、この第１バッグ本体構成シートの上部に設けられた第１持ち手部と、前記第１バッグ本体構成シートと対向して設けられると共に前記バッグ本体を構成する第２バッグ本体構成シートと、この第２バッグ本体構成シートの上部に設けられた第２持ち手部と、前記第１バッグ本体構成シートの下部表面に配設されると共に第１側縁、第２側縁、下縁が前記第１バッグ本体構成シートと接合された上履収容部形成シートと、前記第１バッグ本体構成シートと前記上履収容部形成シートによって形成された上履収容部と、前記バッグ本体の側縁部に取り付けられた第１係止体取付片と、この第１係止体取付片に取り付けられた第１係止体と、前記第２バッグ本体構成シートと前記上履収容部形成シートにそれぞれ取り付けられると共に前記第１係止体と係止可能な第２係止体と、を有してなることを特徴としている。
請求項３の考案は、前記上履収容部を第１上履収容部と第２上履収容部とに区画形成したことを特徴としている。
【考案の効果】
【０００６】
本考案は、極めてシンプルな構成でありながら上履と下履を別々に収容できると共に容易に使用することができるという優れた効果を有する。
本考案は、上履と下履を別々に収容することができるので上履が汚れることを防止できるという優れた効果を有する。
請求項２の考案は、前記優れた効果の他に上履・下履携帯トートバッグを折り畳んだ状態に維持、保持することができるという優れた効果を有する。  
請求項３の考案は、前記優れた効果の他に上履を片方づつ別々に収容して携帯することができるという優れた効果を有する。
【図面の簡単な説明】
【０００７】
【図１】実施例の上履・下履携帯トートバッグ及びスリッパの全体斜視図である。
【図２】実施例の上履・下履携帯トートバッグの背面図である。
【図３】実施例の上履・下履携帯トートバッグにスリッパを折り曲げて収容した全体斜視図である。
【図４】実施例の上履・下履携帯トートバッグを折り畳む状態図である。
【図５】実施例の上履・下履携帯トートバッグを折り畳んだ状態図である。
【考案を実施するための形態】
【０００８】
考案を実施するために最良の形態の例として以下のような実施例を示す。
【実施例１】
【０００９】
図１〜図５には本考案に係る上履・下履携帯トートバッグ１０は黒色のナイロン製布で形成されている。
図１には上履・下履携帯トートバッグ１０と上履・下履携帯トートバッグ１０に収容されて携帯される上履としての折り曲げ可能なスリッパ１，１が示されている。
【００１０】
前記上履・下履携帯トートバッグ１０のバッグ本体１２は袋状に形成されている。この実施例ではバッグ本体１２の高さ寸法（図２上下方向寸法）は３３ｃｍ、幅寸法（図２左右方向寸法）は３０ｃｍに設定されている。
前記バッグ本体１２の内部には靴等の下履（図示せず）を収容する下履収容部１４が形成されている。
【００１１】
前記バッグ本体１２の上面には開口部１６が形成され、開口部１６から靴を下履収容部１４に収容できるようになっている。
【００１２】
前記バッグ本体１２の正面側には前記バッグ本体１２を構成する第１バッグ本体構成シート２０が配設されている。
前記バッグ本体１２の背面側には前記第１バッグ本体構成シート２０と対向して第２バッグ本体構成シート２２が配設されている。
【００１３】
前記第１バッグ本体構成シート２０の上部にはベルト状の第１持ち手部２４が設けられている。
また、前記第２バッグ本体構成シート２２の上部にはベルト状の第２持ち手部２６が設けられている。
【００１４】
図１及び図２に示されるように、前記第１バッグ本体構成シート２０の第１側縁２０Ａと第２バッグ本体構成シート２２の第１側縁２２Ａ、前記第１バッグ本体構成シート２０の第２側縁２０Ｂと第２バッグ本体構成シート２２の第２側縁２２Ｂ、前記第１バッグ本体構成シート２０の下縁２０Ｃと第２バッグ本体構成シート２２の下縁２２Ｃ、がそれぞれ縫われて接合されている。
これにより、図１及び図３に示されるように前記バッグ本体１２は袋状に形成されると共に上面部には前記開口部１６が形成されている。
【００１５】
前記第１バッグ本体構成シート２０の下部表面には上履収容部形成シート３０が配設されている。この上履収容部形成シート３０の第１側縁３０Ａ、第２側縁３０Ｂ、下縁３０Ｃは前記第１バッグ本体構成シート２０と縫われて接合されている。
これにより、前記第１バッグ本体構成シート２０と前記上履収容部形成シート３０によってスリッパ１，１等の上履を収容する上履収容部３２が形成されている。
【００１６】
しかも、この実施例では前記上履収容部形成シート３０の幅方向中央部３０Ｄは前記第１バッグ本体構成シート２０と線状に縫われて接合されている。このため、前記上履収容部３２は第１上履収容部３２Ａと第２上履収容部３２Ｂとに区画形成されている。
【００１７】
図２に示されるように、前記バッグ本体１２の側縁部には第１係止体取付片３６が取り付けられている。この第１係止体取付片３６の先端部には第１係止体としての凹状ボタン３８が固定されている。
【００１８】
図１及び図２に示されるように、前記第２バッグ本体構成シート２２と前記上履収容部形成シート３０には前記凹状ボタン３８と係止可能な第２係止体としての凸状ボタン４０がそれぞれ固定されている。
【００１９】
なお、上履・下履携帯トートバッグ１０を折り畳まない場合は、図１に示すように第１係止体取付片３６の凹状ボタン３８と第１バッグ本体構成シート２０に固定された凸状ボタン４０を係止することにより第１係止体取付片３６は突出しないので邪魔にならない。
【００２０】
次に、実施例の上履・下履携帯トートバッグ１０の作用について説明する。
【００２１】
保護者会等の学校行事に出席するために保護者が学校に行く場合は、スリッパ１，１を折り曲げて前記上履・下履携帯トートバッグ１０の第１上履収容部３２Ａと第２上履収容部３２Ｂに収容して学校に行く。
【００２２】
従って、第１上履収容部３２Ａと第２上履収容部３２Ｂに折り曲げたスリッパ１，１を片方づつ整然として収容して学校に携帯することができる。
【００２３】
また、保護者は学校に行く場合に上履・下履携帯トートバッグ１０を選べばよいため、学校に行く場合に自分が所有している複数のバッグからどのバッグを選ぼうかと悩んだりする煩雑さを解消することができる。
【００２４】
保護者が学校に到着して校舎内に入る場合は、上履・下履携帯トートバッグ１０の第１上履収容部３２Ａ、第２上履収容部３２Ｂからスリッパ１，１を取り出してスリッパ１，１を履く。
また、保護者は履いていた靴を脱いで上履・下履携帯トートバッグ１０の開口部１６から下履収容部１４に収容して校舎内で携帯する。
【００２５】
学校行事が終了して保護者が帰宅する場合は、上履・下履携帯トートバッグ１０の下履収容部１４から靴を取り出すと共に履いていたスリッパ１，１を脱いで上履・下履携帯トートバッグ１０の第１上履収容部３２Ａ、第２上履収容部３２Ｂに収容して帰宅する。
【００２６】
従って、実施例の上履・下履携帯トートバッグ１０は、構成がシンプルであるため取り扱いが容易で靴は下履収容部１４に簡単に収容でき、スリッパ１，１は第１上履収容部３２Ａ、第２上履収容部３２Ｂに簡単に収容することができる。
【００２７】
また、スリッパ１，１は上履・下履携帯トートバッグ１０の第１上履収容部３２Ａ、第２上履収容部３２Ｂに別々に収容され、靴は上履・下履携帯トートバッグ１０の下履収容部１４に収容されるため、靴に付いていた土等がスリッパ１，１に付いてスリッパ１，１が汚れてしまうことを確実に防止することができる。
【００２８】
また、学校が前記上履・下履携帯トートバッグ１０を上履・下履携帯トートバッグとして指定すれば、ブランド品のバッグや高価なバッグを上履・下履携帯バッグとして学校に持参することがないので、保護者の余計な出費や見栄の張り合い等を防ぐことができるという副次的効果を奏することができる。
【００２９】
なお、前記上履・下履携帯トートバッグ１０を折り畳む場合は図４に示すようにバッグ本体１２を上下方向に二つ折りする。
次に、二つ折りにしたバッグ本体１２を図５に示すように幅方向に折り、第１係止体取付片３６の凹状ボタン３８を第２バッグ本体構成シート２２に固定されている凸状ボタン４０に嵌めて係止する。
【００３０】
これにより、四つ折りしたバッグ本体１２を折った状態で維持、保持することができるので、上履・下履携帯トートバッグ１０を使用しない場合等は上履・下履携帯トートバッグ１０を小さくすることができバッグ等に簡単に仕舞うことができ携帯や保管に便利である。
なお、スリッパ１，１を第１上履収容部３２Ａ、第２上履収容部３２Ｂに収容した状態でも上履・下履携帯トートバッグ１０を折り畳むことができるので、スリッパ１，１の携帯時にコンパクトにでき便利である。
【００３１】
なお、実施例ではスリッパ１，１を別々に収容するために前記上履収容部形成シート３０の幅方向中央部３０Ｄを前記第１バッグ本体構成シート２０と縫って前記上履収容部３２を第１上履収容部３２Ａと第２上履収容部３２Ｂに区画形成したが、前記上履収容部形成シート３０の幅方向中央部３０Ｄを前記第１バッグ本体構成シート２０と縫わないで前記上履収容部３２に第１上履収容部３２Ａと第２上履収容部３２Ｂに区画形成しなくてもよい。
【００３２】
なお、実施例では第１係止体として凹状ボタン３８、第２係止体としての凸状ボタン４０，４０を示したが、第１係止体及び第２係止体はボタンに限定されるものでなく、例えばマジックテープ（登録商標）等で形成してもよいことは勿論である。
【００３３】
また、実施例では上履・下履携帯トートバッグ１０を黒色のナイロン製布で形成したが、上履・下履携帯トートバッグ１０の色は黒色以外でもよく、また、素材もナイロン製布以外でもよいことは勿論である。
【００３４】
なお、実施例では前記バッグ本体１２の両側面にマチ部を形成しない場合を説明したが、前記バッグ本体１２の両側面にマチ部を形成してもよいことは勿論である。
【００３５】
また、実施例では上履として折り曲げ可能なスリッパ１，１を示したがスリッパは折り曲げできないスリッパでもよいことは勿論である。
【００３６】
また、実施例では上履としてスリッパ１，１、下履として靴を示したが、上履はスリッパ１，１に限定されるものでなく、下履は靴に限定されないことは勿論である。
【００３７】
なお、実施例では上履・下履携帯トートバッグ１０を学校行事に出席する場合に使用する場合を例にして説明したが、上履・下履携帯トートバッグ１０の使用用途はこれに限定されるものでないことは勿論である。
【符号の説明】
【００３８】
１０    上履・下履携帯トートバッグ
１２    バッグ本体
１４    下履収容部
１６    開口部
２０    第１バッグ本体構成シート
２２    第２バッグ本体構成シート
２４    第１持ち手部
２６    第２持ち手部
３０    上履収容部形成シート
３２    上履収容部
３２Ａ  第１上履収容部
３２Ｂ  第２上履収容部
３６    第１係止体取付片
３８    凹状ボタン
４０    凸状ボタン
【図１】
0003203502.tif 000003
【図２】
0003203502.tif 000004
【図３】
0003203502.tif 000005
【図４】
0003203502.tif 000006
【図５】
0003203502.tif 000007